(57)【要約】【課題】  トップ柱の伸縮ストロークが大きいテントを提供する。【解決手段】  上端にテントシート支持面３８を備えるトップ柱１４と、該トップ柱１４で支持されるテントシート３０と、を備え、前記トップ柱１４が下側トップ柱３２と該下側トップ柱３２内に嵌挿される上側トップ柱３３とからなり、前記下側トップ柱３２の下端に回動操作ハンドル３４が配設され、該回動操作ハンドル３４の回動操作によって駆動される回動軸３５が前記下側トップ柱３２内のほぼ全長に亘って配設され、前記回動軸３５の少なくとも上部にねじ山３６が形成され、該ねじ山３６とねじ結合するねじ部材３７が前記上側トップ柱３３内のほぼ全長に亘って固定されている。他の態様として、前記回動軸３５のほぼ全長に亘ってねじ山４８が形成され、該ねじ山４８とねじ結合するねじ部材４９が前記上側トップ柱３３内の少なくとも下部に固定される態様も採用できる。【選択図】    図３
2015025238.tif 000002
【特許請求の範囲】
【請求項１】
上端にテントシート支持面（３８）を備えるトップ柱（１４）と、該トップ柱（１４）で支持されるテントシート（３０）と、を備え、前記トップ柱（１４）が下側トップ柱（３２）と該下側トップ柱（３２）内に嵌挿される上側トップ柱（３３）とからなり、前記下側トップ柱（３２）の下端に回動操作ハンドル（３４）が配設され、該回動操作ハンドル（３４）の回動操作によって駆動される回動軸（３５）が前記下側トップ柱（３２）内のほぼ全長に亘って配設され、前記回動軸（３５）の少なくとも上部にねじ山（３６）が形成され、該ねじ山（３６）とねじ結合するねじ部材（３７）が前記上側トップ柱（３３）内のほぼ全長に亘って固定されている、テント。
【請求項２】
上端にテントシート支持面（３８）を備えるトップ柱（１４）と、該トップ柱（１４）で支持されるテントシート（３０）と、を備え、前記トップ柱（１４）が下側トップ柱（３２）と該下側トップ柱（３２）内に嵌挿される上側トップ柱（３３）とからなり、前記下側トップ柱（３２）の下端に回動操作ハンドル（３４）が配設され、該回動操作ハンドル（３４）の回動操作によって駆動される回動軸（３５）が前記下側トップ柱（３２）内のほぼ全長に亘って配設され、前記回動軸（３５）のほぼ全長に亘ってねじ山（４８）が形成され、該ねじ山（４８）とねじ結合するねじ部材（４９）が前記上側トップ柱（３３）内の少なくとも下部に固定されている、テント。
【発明の詳細な説明】
【技術分野】
【０００１】
本発明は、雨よけや日よけのためのテントに関するものである。
【背景技術】
【０００２】
テントの一種として、ワンタッチで組み立てることができる折畳み式のテントが知られている（特許文献１等参照）。この折畳み式テントは、折畳み式のテントフレームに対して予めテントシートが一体化されたものである。
【０００３】
前記テントは、四方に起立する柱部材と、該柱部材の上部同士を連結する伸縮自在な連結フレームと、前記柱部材で囲まれる空間内に配設されて上端にテントシート支持面を備えるトップ柱と、前記連結フレーム上で前記トップ柱を支持する伸縮自在なトップ柱支持フレームと、前記柱部材と前記トップ柱とで支持されるテントシートと、を備える。そして、前記連結フレームの伸長操作により、前記トップ柱支持フレームの伸長と、前記トップ柱の上昇と、前記柱部材の四方への分散と、テントシートの展張とが同時に起こり、テントを簡単に展開状態（設営状態）にすることができる。一方、前記連結フレームの収縮操作により、前記トップ柱支持フレームの収縮と、前記トップ柱の下降と、前記柱部材の集合と、テントシートのまとまりとが同時に起こり、テントを簡単に収縮状態（収納状態）にすることができる。
【０００４】
前記従来のテントにおいては、雨天の場合、テントシート上に水溜りができることがあった。テントシート上に水溜りができると、テントに余計な負荷が掛かってしまい、破損の原因となる。
【０００５】
そこで、特許文献２の図１５に示すように、トップ柱を伸縮操作可能に構成し、テントシートの張りを適宜調整できるようにしたものが提案されている。
【先行技術文献】
【特許文献】
【０００６】
【特許文献１】特許第２６２５２５５号公報
【特許文献２】実用新案登録第３０５７２２３号公報
【発明の概要】
【発明が解決しようとする課題】
【０００７】
特許文献２のものは、次のような構成である。テントシートを支持するトップ柱が、下側のシリンダと、このシリンダ内に上から嵌め込まれた上側の棒状のテンション具とに分割されている。外部から回動操作自在な駆動ねじ軸が前記シリンダ内に配設される。前記駆動ねじ軸とねじ結合する昇降板が前記シリンダ内に配設され、前記昇降板上に配設したスプリングによって前記テンション具が弾性支持される。前記昇降板は四角板からなり、断面四角形の内部空間を有する前記シリンダ内で回転が阻止される。このため、前記駆動ねじ軸を前記シリンダの外部から回動操作すると、前記シリンダ内で前記昇降板が昇降し、前記スプリングを介して前記テンション具が昇降する。これにより、テントシートの張りが調節できる。
【０００８】
しかしながら、前記従来の構成では、前記駆動ねじ軸も前記昇降板も前記シリンダ内に収容されているので、前記テンション具の昇降ストロークは前記シリンダの長さの半分より小さくならざるを得ない。このため、テントシートの張りを小さな範囲で調節することはできるが、テントシートの傾斜を大きく変更したい場合等には不向きであった。
【０００９】
本発明は、前記のような事情に鑑みてなされたもので、トップ柱の伸縮ストロークが大きいテントを提供しようとするものである。
【課題を解決するための手段】
【００１０】
前記課題を解決するため、本発明に係るテントは、上端にテントシート支持面を備えるトップ柱と、該トップ柱で支持されるテントシートと、を備え、前記トップ柱が下側トップ柱と該下側トップ柱内に嵌挿される上側トップ柱とからなり、前記下側トップ柱の下端に回動操作ハンドルが配設され、該回動操作ハンドルの回動操作によって駆動される回動軸が前記下側トップ柱内のほぼ全長に亘って配設され、前記回動軸の少なくとも上部にねじ山が形成され、該ねじ山とねじ結合するねじ部材が前記上側トップ柱内のほぼ全長に亘って回転不能に固定されることを特徴とする（請求項１）。
【００１１】
本発明によれば、前記回動操作ハンドルを回動操作することで回動軸が駆動され、前記ねじ山及び前記ねじ部材を介して前記上側トップ柱が昇降する。そして、前記回動軸が前記下側トップ柱内のほぼ全長に亘って配設され、前記ねじ山が前記回動軸の少なくとも上部に形成され、且つ、前記ねじ部材が前記上側トップ柱内のほぼ全長に亘って回転不能に固定されるので、前記下側トップ柱のほぼ全長に亘って前記上側トップ柱が昇降駆動されることになる。このため、トップ柱の伸縮操作によってテントシートの傾斜を大きく変更できる。
【００１２】
本発明の他の実施の一形態に係るテントは、上端にテントシート支持面を備えるトップ柱と、該トップ柱で支持されるテントシートと、を備え、前記トップ柱が下側トップ柱と該下側トップ柱内に嵌挿される上側トップ柱とからなり、前記下側トップ柱の下端に回動操作ハンドルが配設され、該回動操作ハンドルの回動操作によって駆動される回動軸が前記下側トップ柱内のほぼ全長に亘って配設され、前記回動軸のほぼ全長に亘ってねじ山が形成され、該ねじ山とねじ結合するねじ部材が前記上側トップ柱内の少なくとも下部に回転不能に固定されることを特徴とする（請求項２）。
【００１３】
前記実施の形態によれば、前記回動操作ハンドルを回動操作することで回動軸が駆動され、前記ねじ山及び前記ねじ部材を介して前記上側トップ柱が昇降する。そして、前記回動軸が前記下側トップ柱内のほぼ全長に亘って配設され、前記ねじ山が前記回動軸のほぼ全長に亘って形成され、且つ、前記ねじ部材が前記上側トップ柱内の少なくとも下部に回転不能に固定されるので、前記下側トップ柱のほぼ全長に亘って前記上側トップ柱が昇降駆動されることになる。このため、トップ柱の伸縮操作によってテントシートの傾斜を大きく変更できる。
【図面の簡単な説明】
【００１４】
【図１】本発明の実施の一形態に係るテントを構成するテントフレームの展開状態の概略斜視図である。
【図２】図１のテントフレームを半分程度まで折畳んだ状態の斜視図である。
【図３】図１中のトップ柱の縦断面図である。
【図４】図３のトップ柱の下部拡大図である。
【図５】図３のトップ柱の他の実施例を示す縦断面図である。
【発明を実施するための形態】
【００１５】
以下、添付図面を参照して、本発明の実施の一形態について説明する。
【００１６】
まず、図１及び図２を参照して、本発明に係るテントの全体的な構成について説明する。
【００１７】
本発明の実施の一形態に係るテントは、テントシート３０（図３，図５参照）とテントフレーム２からなる。図１及び図２では図示を省略しているが、テントシートはテントフレーム２上に予め取り付けられている。
【００１８】
前記テントフレーム２について説明すると、図１に示すように、二本の棒材３，３をＸ字状に枢支した二組の外梁部材４，４の内端部同士を互いに連結して相互間に関節部５，５を形成する。この伸縮自在な構造体（連結フレーム３１）を、等間隔で四隅に立設された四本の柱部材６，６，６，６の間に配設し、前記外梁部材４の上側に位置する外端部７，７を、前記各柱部材６の上端に設けた上端連結具８に枢着する。前記外梁部材４の下側に位置する外端部９，９は、前記各柱部材６に上下スライド自在に嵌装したスライド部材１０に枢着する。さらに、前記外梁部材４と同一構成の内梁部材１１の外端部１２を、前記関節部５に枢支する。前記内梁部材１１の下側に位置する内端部１３は、トップ柱１４の下端に構成された下端連結具１５に枢支する。前記内梁部材１１の上側に位置する内端部１６は、トップ支持具１７に枢支する。該トップ支持具１７には、前記トップ柱１４が上下動自在に嵌挿される。前記内梁部材１１は、前記連結フレーム３１上で前記トップ柱１４を昇降自在に支持する伸縮自在なトップ柱支持フレームである。そして、図２に示すように、前記四本の柱部材６を集めると、前記スライド部材１０が前記各柱部材６に沿って下降し、前記関節部５が折り畳まれるとともに、前記下端連結具１５が下降する。最終的には、前記四本の柱部材６が前記トップ柱１４を取り囲んだ状態でそれらが一箇所に集中する。この状態がテントの収納状態である。
【００１９】
図１のテント設営状態において、中央のトップ柱１４と四隅の柱部材６とでテントシート３０が支持される。テント収納状態においては、テントフレーム２の収縮・集合に応じて、テントシート３０はテントフレーム２上でコンパクトにまとまる。
【００２０】
テント組立時には、前記スライド部材１０が前記柱部材６の上部に固定される。該柱部材６の上部には、前記スライド部材１０を固定するためのロック孔（図示せず）が形成されている。このロック孔の位置で前記柱部材６に対して前記スライド部材１０を上下動不能に固定するためにロック装置１が設けられる。
【００２１】
また、前記テントフレーム２のコンパクトな収納を可能にするため、前記各柱部材６と前記トップ柱１４は伸縮自在とされている。すなわち、図１に示すように、前記各柱部材６は、上側に位置する外筒部材２１と、該外筒部材２１内に相対伸縮自在に嵌挿される内筒部材２２とで構成される。前記各柱部材６の下端、すなわち、前記内筒部材２２の下端には、地面に接地される板状の下敷脚２３が固着されている。前記各柱部材６は、テントフレームの折り畳み収納時には最大収縮状態とされ、テント組立時には伸長されて所定の長さに固定される。
【００２２】
一方、前記トップ柱１４は、図３に示すように、下側トップ柱３２と、該下側トップ３２柱内に相対伸縮自在に嵌挿される上側トップ柱３３とで構成される。前記下側トップ柱３２と前記上側トップ柱３３は、いずれも中空の四角柱であり、断面四角形の内部空間を有する。
【００２３】
前記下側トップ柱３２の下端には回動操作ハンドル３４が配設される。該回動操作ハンドル３４の回動操作によって駆動される回動軸３５が前記下側トップ柱３２内のほぼ全長に亘って配設される。前記回動軸３５の少なくとも上部にはねじ山３６が形成されている。該ねじ山３６とねじ結合するねじ部材３７が前記上側トップ柱３３内のほぼ全長に亘って回転不能に固定される。前記ねじ部材３７の外周形状は四角柱であり、前記上側トップ柱３３の内壁によって回転が阻止される。
【００２４】
前記上側トップ柱３３の上端には、テントシート支持面３８が形成される。テントシート支持面３８は、テントシート３０を損傷することがないように滑らかなドーム状となっている。前記テントシート支持面３８を有するプラグ３９が前記上側トップ柱３３の上端開口部にねじ結合される。前記上側トップ柱３３の下端部には、前記ねじ部材３７の抜け出しを防止するストッパ４０が形成されている。前記ねじ部材３７は、前記上側トップ柱３３の上端開口部から上側トップ柱３３内に挿入され、前記プラグ３９によって上方への抜け出しを阻止される。
【００２５】
なお、図３では、前記ねじ部材３７を一本の棒材として図示しているが、これを上下長さ方向の途中で複数の要素に分割したものとすることもできる。
【００２６】
図４に拡大して示すように、前記回動操作ハンドル３４は中空円柱状のボス部４１を有し、このボス部４１の内周面にスプライン部４２が形成されている。このスプライン部４２は、前記回動軸３５の下端に連結したスプライン軸４３と嵌り合う。このため、前記回動操作ハンドル３４を回動操作することで、前記回動軸３５を回動駆動することができる。
【００２７】
前記回動操作ハンドル３４の前記ボス部４１の下面には、ボルト挿通孔４４が形成される。このボルト挿通孔４４に挿通されるロックボルト４５は、前記スプライン軸４３に形成されるねじ穴４６にねじ込まれる。前記ロックボルト４５の握り部４７が前記回動操作ハンドル３４の下面に当接する。これにより、前記スプライン軸４３に対して前記回動操作ハンドル３４が抜け出し不能に固定される。前記ロックボルト４５のスプライン軸４３へのねじ込み量を大きくすると、前記回動操作ハンドル３４の一部が前記下側トップ柱３２の下面に押圧されるので、前記回動操作ハンドル３４及び前記回動軸３５がロックされる。これらをロックすることで、前記テントシート３０の荷重が前記上側トップ柱３３を押し下げようとする力に対抗することができる。
【００２８】
前記下側トップ柱３２内の下部には軸受け４８が配設され、この軸受け４８で前記回動軸３５が回動自在に支持される。前記回動軸３５の下端に連結された前記スプライン軸４３は前記回動軸３５よりも大径であり、スプライン部４３の上端面と前記軸受け４８との間に、ソックアブソーバとして作用する圧縮コイルスプリング４９が介装される。
【００２９】
以上の構成により、前記回動操作ハンドル３４を回動操作することで、前記回動軸３５が回動駆動され、前記下側トップ柱３２のほぼ全長に亘って前記上側トップ柱３３が昇降駆動される。このため、図３に示すように、トップ柱１４の伸縮操作によってテントシート３０の傾斜を大きく変更できる。もちろん、テントシート３０の張りの微調整も可能である。前記ロックボルト４５を締めることで、前記テントシート３０の荷重や張力による前記回動操作ハンドル３４の戻り回転を阻止することができる。
【００３０】
図５には、トップ柱１４の他の実施の形態が示されている。図３のものとの違いは、回動軸３５のほぼ全長に亘ってねじ山４８が形成され、該ねじ山４８とねじ結合するねじ部材４９が前記上側トップ柱３３内の少なくとも下部に回転不能に固定されることである。この構成によっても、回動操作ハンドル３４を回動操作することで、前記回動軸３５が回動駆動され、前記下側トップ柱３２のほぼ全長に亘って前記上側トップ柱３３を昇降駆動させることができる。図５中の他の要素は、図３のものと同じ構成であり同じ作用を奏する。
【符号の説明】
【００３１】
１４    トップ柱
３０    テントシート
３２    下側トップ柱
３３    上側トップ柱
３４    回動操作ハンドル
３５    回動軸
３６    ねじ山
３７    ねじ部材
４８    ねじ山
４９    ねじ部材
３８    テントシート支持面
【図１】
2015025238.tif 000003
【図２】
2015025238.tif 000004
【図３】
2015025238.tif 000005
【図４】
2015025238.tif 000006
【図５】
2015025238.tif 000007